(57)【特許請求の範囲】
【請求項１】
送信手段から送信される送信データを受信手段が受信する情報送受信システムにおいて、
上記送信手段が、送信データを送信データ分割単位に分割して分割データを得る送信データ分割手段と、上記送信データを識別するための複数の異なる識別情報を上記各分割データにそれぞれ付加する識別情報付加手段と、分割された順序に各分割データに対して順序情報を付加する順序情報付加手段と、複数のグループを送信単位とするデータ送信サイクルの当該グループのそれぞれに、上記異なる識別情報が付加されている上記分割データを割り振りして送信する送信処理手段とを備え、
上記受信手段が、上記送信手段から送信されてくる上記送信データを上記分割データに付加されている上記識別情報及び上記順序情報に基づいて復元することを特徴とする情報送受信システム。
【請求項２】
上記受信手段は、
上記識別情報から上記分割データの判別を行う識別情報判別部と、
上記識別情報判別部による判別結果に基づいて同じ上記識別情報が付されている上記分割データが記憶される記憶手段と、
前記記憶手段に記憶された上記識別情報毎の分割データを上記順序情報に基づいて復元する復元手段とを備えていることを特徴とする、請求項１記載の情報送受信システム。
【請求項３】
上記受信手段は、携帯形情報通信端末として構成されていることを特徴とする、請求項１記載の情報送受信システム。
【請求項４】
送信手段から送信される送信データを受信手段が受信する情報送受信方法において、
上記送信手段は、上記送信データを送信データ分割単位によって分割して得た分割データに当該分割された順序に順序情報を付加するとともに、上記送信データを識別するための複数の異なる識別情報を上記各分割データにそれぞれ付加して、複数のグループを送信単位とするデータ送信サイクルの当該グループのそれぞれに、上記異なる識別情報が付加されている上記分割データを割り振りして送信し、
上記受信手段は、上記送信手段から送信されてくる上記送信データを上記分割データに付加されている上記識別情報及び上記順序情報に基づいて復元することを特徴とする情報送受信方法。
【請求項５】
情報送受信システムに使用される情報送信装置に於いて、
送信データを送信単位に分割する送信データ分割手段と、
各々の分割データに対して、識別情報を付加する識別情報付加手段と、
各々の分割データに対して、順序情報を付加する順序情報付加手段と、
複数のグループを送信単位とする上記データ送信サイクルの当該グループそれぞれに、異なる上記識別情報が付加されている上記分割データを割り振りして送信する送信処理手段とを備え、
上記識別情報により上記送信データの同一を識別可能とし、上記順序情報により同一の送信データ内での分割された順序を特定可能とした、情報送信装置。
【請求項６】
送信データを送信データ分割単位によって分割して得た分割データに当該分割された順序に順序情報が付加されているとともに、上記送信データを識別するための複数の異なる識別情報が上記各分割データにそれぞれ付加され、複数のグループを送信単位とするデータ送信サイクルの当該グループのそれぞれに、上記異なる識別情報が付加されている上記分割データを割り振りして送信する上記送信データを受信する情報受信装置であって、
上記送信手段から送信されてくる上記送信データを上記分割データに付加されている上記識別情報及び上記順序情報に基づいて復元することを備えることを特徴とする、情報受信装置。
【請求項７】
上記識別情報から上記分割データの判別を行う識別情報判別部と、
上記識別情報判別部による判別結果に基づいて同じ上記識別情報が付されている上記分割データが記憶される記憶手段と、
前記記憶手段に記憶された上記識別情報毎の分割データを上記順序情報に基づいて復元する復元手段とを備えていることを特徴とする、請求項６記載の情報受信装置。
【請求項８】
携帯形情報通信端末として構成されていることを特徴とする請求項６記載の情報受信装置。
【発明の詳細な説明】
【０００１】
技術分野
【０００２】
本発明は、無線呼出しシステムのような情報送受信システム及び情報送受信方法、並びにこれらに使用される情報送信装置及び情報受信装置に関する。
背景技術
【０００３】
無線呼出し及び無線放送により放送される各種情報を受信可能とする携帯可能な情報受信装置が提案されている。例えば、携帯可能な情報受信装置には、いわゆるポケットベル受信機があり、天気情報、各種イベント情報等の情報配信サービスを受けることができる。
【０００４】
このような無線呼出しを可能にする無線呼出データ送受信システムでは、非常に多種類のデータが送受信されている。また、送受信されるデータの中にはデータ量の大きなものもある。
【０００５】
一方、このような無線呼出データ送受信システムでは、特定のデータを分割して得られた分割データには、同じ識別番号が付されているため同じ送信サイクルで同時に送信出来ないという制約があった。
【０００６】
そこで、本発明は、無線呼出しシステムのような多くのデータが送受信されるデータ送受信システムにおいて、データを容易に特定出来るようにする共に高速で送受信できるシステムを提供することを目的とする。
【０００７】
本発明は、このようなシステムに使用できる情報送受信方法、並びに情報送信装置及び情報受信装置を提供することを目的とする。
発明の開示
【０００８】
本発明に係る送信手段から送信される送信データを受信手段が受信する情報送受信システムは、送信手段が、送信データを送信データ分割単位に分割して分割データを得る送信データ分割手段と、送信データを識別するための複数の異なる識別情報を各分割データにそれぞれ付加する識別情報付加手段と、分割された順序に各分割データに対して順序情報を付加する順序情報付加手段と、複数のグループを送信単位とするデータ送信サイクルの当該グループのそれぞれに、異なる識別情報が付加されている分割データを割り振りして送信する送信処理手段とを備え、受信手段が、送信手段から送信されてくる送信データを分割データに付加されている識別情報及び順序情報に基づいて復元することを特徴とする。
【０００９】
受信手段を、識別情報から分割データの判別を行う識別情報判別部と、識別情報判別部による判別結果に基づいて同じ識別情報が付されている分割データが記憶される記憶手段と、記憶手段に記憶された識別情報毎の分割データを順序情報に基づいて復元する復元手段とを備えるように構成してもよい。また、受信手段を携帯形情報通信端末として構成してもよい。
【００１０】
本発明に係る送信手段から送信される送信データを受信手段が受信する情報送受信方法において、送信手段は、送信データを送信データ分割単位によって分割して得た分割データに当該分割された順序に順序情報を付加するとともに、送信データを識別するための複数の異なる識別情報を各分割データにそれぞれ付加して、複数のグループを送信単位とするデータ送信サイクルの当該グループのそれぞれに、異なる識別情報が付加されている分割データを割り振りして送信し、受信手段は、送信手段から送信されてくる送信データを分割データに付加されている識別情報及び順序情報に基づいて復元することを特徴とする。
【００１１】
また、本発明に係る情報送受信システムに使用される情報送信装置は、送信データを送信単位に分割する送信データ分割手段と、各々の分割データに対して、識別情報を付加する識別情報付加手段と、各々の分割データに対して、順序情報を付加する順序情報付加手段と、複数のグループを送信単位とするデータ送信サイクルの当該グループそれぞれに、異なる識別情報が付加されている分割データを割り振りして送信する送信処理手段とを備え、識別情報により送信データの同一を識別可能とし、順序情報により同一の送信データ内での分割された順序を特定可能としたことを特徴とする。
【００１２】
本発明に係る情報受信装置は、送信データを送信データ分割単位によって分割して得た分割データに当該分割された順序に順序情報が付加されているとともに、送信データを識別するための複数の異なる識別情報が上記各分割データにそれぞれ付加され、複数のグループを送信単位とするデータ送信サイクルの当該グループのそれぞれに、異なる識別情報が付加されている分割データを割り振りして送信する送信データを受信し、送信手段から送信されてくる送信データを分割データに付加されている識別情報及び順序情報に基づいて復元することを備えることを特徴とする。
【００１３】
また、情報受信装置は、識別情報から分割データの判別を行う識別情報判別部と、識別情報判別部による判別結果に基づいて同じ識別情報が付されている分割データが記憶される記憶手段と、記憶手段に記憶された識別情報毎の分割データを上記順序情報に基づいて復元する復元手段とを備えてもよい。
【００１５】
また、情報受信装置を携帯形情報通信端末として構成してもよい。
【００１７】
以下、本発明の実施の形態について図面を用いて詳しく説明する。この実施の形態は、無線呼出データ送信装置から送信された送信データを無線呼出データ受信装置が受信する無線呼出データ送受信システムである。例えば、この無線呼出データ送受信システムは、ブロードキャスト可能な送受信システムとして構成されている。
【００１８】
この無線呼出データ送受信システムは、図１に示すように、無線呼出データ送信装置２と、無線呼出データ受信装置３とから構成されている。例えば、この無線呼出データ送受信システム１は、基地局から放送される各種情報を、いわゆるポケットベル受信機によって受信可能とされる情報送受信システムを構築する。
【００１９】
上記無線呼出データ送信装置２は、データ分割部２１、順序情報付加部２２、情報識別番号付加部２３、送信処理部２４、及びアンテナ２５を備えている。この無線呼出データ送信装置２は、無線呼出データ放送の基地局が備える。
【００２０】
上記無線呼出データ受信装置３は、アンテナ３１、受信処理部３２、情報識別番号判別部３３、メモリ３４、及びデータ復元部３５を備えている。無線呼出データ受信装置３は、例えば、携帯可能とされて小型に構成されたポケットベル受信機である。
【００２１】
このように構成される無線呼出データ送受信システム１において、無線呼出データ送信装置２は、送信データを送信データ分割単位に分割して分割データを得る送信データ分割手段であるデータ分割部２１と、送信データを識別するための複数の識別情報を各分割データにそれぞれ付加する識別情報付加手段である情報識別番号付加部２３と、分割された順序に各分割データに対して順序情報を付加する順序情報付加手段である順序情報付加部２２と、異なる識別情報が付加されている分割データを１つのデータ送信サイクル内に割り振りして送信処理する送信処理手段である送信処理部２４とを有する。
【００２２】
また、無線呼出データ受信装置３は、無線呼出データ送信装置２から送信されてくる送信データを分割データに付加されている識別情報及び順序情報に基づいて復元するものとして構成される。
【００２３】
以下、この無線呼出データ送信装置２及び無線呼出データ受信装置３を構成する各部について説明する。
【００２４】
先ず、無線呼出データ送信装置２について説明する。この無線呼出データ送信装置２において、データ分割部２１は、入力されたデータの分割を行う。データの分割は、送信可能単位とされる送信データ分割単位によって行われる。なお、無線呼出データ送信装置２によるデータの分割は、必ず行われるものではなく、送信データ量が多い場合にのみ行われる。このデータ分割部２１において分割された送信データは、順序情報付加部２２に入力させる。
【００２５】
順序情報付加部２２は、上記分割されたデータに対して順序情報を付加する。この順序情報付加部２２は、上記順序情報として、０から順番に数字を付加する。順序情報の付加は、図２に示すように、データ領域１０４に格納される上記分割されたデータに対して順序情報１０２を付加することにより行われる。このように順序情報付加部２２において順序情報が付加されて上記分割されたデータは、情報識別番号付加部２３に入力される。
【００２６】
情報識別番号付加部２３は、分割されたデータに種類の異なる情報識別番号をそれぞれ付加する処理を行う。
【００２７】
情報識別番号は、同一の送信データからなる分割データの種類を示す情報となる。すなわち、情報識別番号は、分割データが同一の送信データからなるものであることを認識可能とする複数の情報識別番号からなり、例えば、２つの情報識別番号からなる場合には、図３中（Ｂ）に示すように、「ＩＤ１」及び「ＩＤ２」とされて分割データに割り振られて付加される。分割データに対する情報識別番号の付加は、具体的には、図２に示すように、ユニークコード１０１の付加として行われる。ユニークコード１０１は、分割データの本体が同一のものであるかを識別するためのコードであり、完全にユニークでなくても繰り返し利用してもよい。
【００２８】
この情報識別番号付加部２３において情報識別番号が付加されて送信データは、上記送信処理部２４に入力される。
【００２９】
上記順序情報付加部２２及び情報識別番号部２３により、図３中（Ａ）から（Ｂ）に示すように送信データＤ0が分割されてなる分割データＤ1，Ｄ2，Ｄ3，Ｄ4，Ｄ5，Ｄ6に対して、順番「１」，順番「２」，・・・，順番「５」，順番「６」といった順序情報が順番に付加され、「ＩＤ１」，「ＩＤ２」といった情報識別番号が割り振りされて付加される。
【００３０】
上記送信処理部２４は、上述のように各情報が付加された送信データの送信処理を行う。この送信処理部２４は、複数のグループを送信単位とするデータ送信サイクルの当該グループそれぞれに、異なる情報識別番号が付加されている分割データを割り振りして送信する。すなわち、図３中（Ｃ）に示すように、「ＩＤ１，順番１」、「ＩＤ２，順番２」が付されている各分割データを同一のデータ送信サイクルにおける異なるグループにそれぞれ格納して送信し、「ＩＤ１，順番３」、「ＩＤ２，順番４」が付されている各分割データを次のデータ送信サイクルにおける異なるグループにそれぞれ格納して送信し、そして、「ＩＤ１，順番５」、「ＩＤ２，順番６」が付されている各分割データをその次のデータ送信サイクルにおける異なるグループにそれぞれ格納して送信するというような送信処理を行う。この送信処理部２４において送信処理されたデータは、アンテナ２５から送信される。
【００３１】
すなわち、無線呼出データ送信装置２は、図３中（Ａ）から（Ｃ）に示すような手順に従って分割したデータに順序情報及び情報識別番号を付加し、無線呼出データ受信装置３への上記送信データの送信処理を完了させる。
【００３２】
なお、図２に示すように、分割されたデータには、分割数１０３を付加することもできる。この分割数１０３は、送信データをいくつのブロックに分割したかを示す値であり、すなわち、２以上の数字からなる情報である。無線呼出データ受信装置３は、この分割数１０３分の分割データを受信することで当該送信データの受信を完了する。
【００３３】
無線呼出データ受信装置３は、情報識別番号から分割データの判別を行う識別情報判別部である情報識別番号判別部３３と、識別情報番号判別部３３による判別結果に基づいて同じ情報識別番号が付されている分割データが記憶される記憶手段であるメモリ３４と、メモリ３４に記憶された識別情報番号毎の分割データを順序情報に基づいて復元する復元手段であるデータ復元部３５とを備えている。
【００３４】
このような構成部を有する無線呼出データ受信装置３では、アンテナ３１を介して受信処理部３２により、上記無線呼出データ送信装置２からの放送を受信する。受信処理部３２では、データの受信処理を行う。この受信処理部３２において受信処理されたデータは、情報識別番号判別部３３において、分割データに付加されている情報識別番号の判別がなされる。すなわち、上記図３中（Ａ）乃至（Ｃ）において説明したことに対応すれば、情報識別番号判別部３３により、「ＩＤ１」及び「ＩＤ２」の判別がなされることになる。
【００３５】
この情報識別番号判別部３３における判別結果に応じて、メモリ３４には、分割されて入力されてきたデータの格納が行われる。例えば、メモリ３４は、情報識別番号の種類に対応した数の領域に分割されている。
【００３６】
これにより、判別結果に応じて行うデータの格納は、例えば、図４中（Ａ）に示すように、ＩＤ１用の格納メモリ領域と、ＩＤ２用の格納メモリ領域とに分けて行われる。ここでは、ＩＤ１用の格納メモリ領域に順番「１」、順番「３」、順番「５」のデータが次々に書き込まれ、また、ＩＤ２用の格納メモリ領域に順番「２」、順番「４」、順番「６」のデータが次々に書き込まれる。
【００３７】
上記データ復元部３５は、上述のようにメモリ３４に格納されたデータをそれぞれに付加されている順序情報とされる順番に基づいて、図４中（Ｂ）に示すように、送信データＤ0を復元する。
【００３８】
図５には、無線呼出データ受信装置３の行う受信処理の一連の工程を示している。ここでは、情報識別番号として「ＩＤ１」及び「ＩＤ２」が分割データに付されていることとして説明する。
【００３９】
この図５に示すように、無線呼出データ受信装置３は、ステップＳ１において、パケットの受信を行い、続くステップＳ２において、情報識別番号であるＩＤの比較を行う。このＩＤの比較の結果、情報識別番号がＩＤ１であることを確認した場合には、無線呼出データ受信装置３は、ステップＳ３に進み、また、情報識別番号がＩＤ２であることを確認した場合には、ステップＳ５に進む。一方、何れのＩＤでもないことを確認した場合には、無線呼出データ受信装置３は、当該データの受信処理を行わない。
【００４０】
上記ステップＳ３では、無線呼出データ受信装置３は、分割されたデータである否かを判別する。例えば、分割の確認については、上記図２に示すような分割数１０３を参照して行うことが出来る。
【００４１】
このステップＳ３において受信したデータが分割されていないものであることを確認した場合には、無線呼出データ受信装置３は、ステップＳ８に進み、通常のデータの受信処理を行う。一方、データが分割されてきていることを確認した場合には、無線呼出データ受信装置３は、ステップＳ４に進む。
【００４２】
上記ステップＳ４では、無線呼出データ受信装置３は、当該データに付加されている順序情報の順番に従ってメモリ３４への格納処理を行う。すなわち、無線呼出データ受信装置３は、ＩＤ１用の格納メモリ領域へ当該データを格納する。
【００４３】
上述したステップＳ３及びステップＳ４における処理は、情報識別番号がＩＤ１の場合であり、無線呼出データ受信装置３は、情報識別番号がＩＤ２の場合についてもこれと同様な処理を行う。
【００４４】
すなわち、無線呼出データ受信装置３は、上記ステップＳ２において情報識別番号がＩＤ２であることを確認した場合に進むステップＳ５において、分割されたデータであるか否かを判別する。このステップＳ５において受信したデータが分割されていないものであることを確認した場合には、無線呼出データ受信装置３は、ステップＳ９に進み、通常のデータの受信処理を行う。一方、データが分割されてきていることを確認した場合には、無線呼出データ受信装置３は、ステップＳ６に進む。
【００４５】
ステップＳ６では、無線呼出データ受信装置３は、当該データに付加されている順序情報の順番に従ってメモリ３４への格納処理を行う。すなわち、無線呼出データ受信装置３は、ＩＤ２用の格納メモリ領域へ当該データを格納する。
【００４６】
無線呼出データ受信装置３は、上記ステップＳ４及びステップＳ６においてそれぞれデータの格納を行った後、ステップＳ１０において、全ての受信したか否かを判別する。ここで、全て受信していないことを確認した場合には、無線呼出データ受信装置３は、上述したステップＳ１のパケット受信を再び行う。また、全て受信したことを確認した場合には、無線呼出データ受信装置３は、ステップＳ１１に進み、受信処理を完了する。
【００４７】
以上のように無線呼出データ送受信システム１は構築され、無線呼出データ送信装置２から無線呼出データ受信装置３へのデータの送信を行っている。
【００４８】
この無線呼出データ送受信システム１は、上述したように、送信データを分割して得た分割データに情報識別番号及び順序情報を付加して、データの送信を行っている。よって、１つのデータ送信サイクルにおいて構成されるグループそれぞれに、送信データを分割して得た分割データを格納して送信することが可能になり、これにより、送信単位を超えるような大きな容量の送信データであっても、送信することが可能になる。
【００４９】
さらに、無線呼出データ送受信システム１は、上述したように、２つの情報識別番号を用いてデータを送信処理し、これにより、１つのデータ送信サイクルに２つの送信データ分割単位を送信することを可能にしている。換言すれば、この無線呼出データ送受信システム１は、送信データを分割してなる分割データを、上記情報識別番号の種類分の数を１つのデータ送信サイクルにおいて送受信処理することができる。これにより、無線呼出データ送受信システム１では、送信時間を短縮、すなわち高速送信することができる。
【００５０】
すなわち、図６中（Ａ）に示す送信データＤ0が、図６中（Ｂ）に示すように、唯一つの情報識別番号（ＩＤ１）のみが付加された場合においては、図６中（Ｃ）に示すように、１つのデータ送信サイクルに１つの送信データ分割単位しか送信できないので、分割単位の個数分のデータ送信サイクルが必要になる。しかし、情報識別番号を複数用いることにより、上記図３中（Ｃ）に示したように、１つのデータ送信サイクルに２つの送信データ分割単位を送信することができるようになる。この例では、送信時間は、半分に短縮される。
【００５１】
また、無線呼出データ送受信システム１では、受信された送信データ分割単位は、それぞれ情報識別番号に対応した別々の情報格納用のメモリ領域に格納されるが、送信データ分割単位には、順序情報が付加されているので、受信後に送信データ分割単位を正しく並び換えて元の送信データに復元することが可能になる。これにより、順不同で受信された場合であっても、送信データを元通りに復元することができる。
【００５２】
なお、実施の形態の説明では、順序情報に１，２，３・・・というように、順序を示す番号を付加することによって元の送信データを復元しているとしているが、この順序情報は、この限りではなく、無線呼出データ受信装置３が送信データ分割単位を元の送信データに復元することが可能であればどのような表現形態としてもよい。
【００５３】
また、実施の形態の説明では、「ＩＤ１」及び「ＩＤ２」の２つの情報識別番号を用いて並列データ送信を実現しているが、３つ以上の情報識別番号を利用することによっても同じように並列データ送信を行うことができる。これにより、さらに、データ送信速度を速めることが可能になり、すなわち、情報識別番号を多く用いるほど高速にデータを送信することが可能になる。
【００５４】
また、実施の形態において、無線呼出データ受信装置３が各情報識別番号に対応した分割データを１つ備えたメモリ３４内の複数の分割領域にそれぞれ格納することとしているが、これに限定されることはない。例えば、各情報識別番号に対応して複数のメモリを備えることもできる。これにより、データをより多く格納することができるようになる。
【００５５】
また、データ送信サイクルにおけるデータの送信については、上記図３中（Ｃ）に示した送信形態に限定されるものではない。例えば、送信間隔が一定でなかったり、順序情報による順番に従わない場合もある。順序情報による順番に従わない場合としては、図７中（Ｃ）に示すように、「ＩＤ１，順番１」が付加された分割データを送信した後に、次のデータ送信サイクルにおいて「ＩＤ１，順番３」、「ＩＤ２，順番２」が付加された分割データを同一のデータ送信サイクルにおいて送信し、「ＩＤ１，順番５」、「ＩＤ２，順番４」が付加された分割データを次の同一のデータ送信サイクルにおいて送信するといった送信形態を採ることが挙げられる。なお、送信データの分割及び各種情報の付加については、上記図３中（Ａ）及び（Ｂ）に示したと同様にし、すなわち、図７中（Ａ）に示す送信データは、図７中（Ｂ）に示すように、分割されて順序情報である順番の付加と情報識別番号であるＩＤの付加とがなされる。このように図７中（Ｃ）に示すように、順序情報による順番に従わない場合であっても、無線呼出データ受信装置３は、図４中（Ａ）及び（Ｂ）に示すように、データを復元することができる。
【００５６】
また、ポケットベル受信機等に適用される無線呼出データ送受信システムの信号方式についは、具体的には、図８中（Ａ）乃至（Ｃ）に示すように構成される。
【００５７】
図８中（Ａ）に示すように、１フレームとして構成される上記データ送信サイクルは、データ送信単位として１５のグループＧ1，Ｇ2，Ｇ3，・・・，Ｇ14，Ｇ15よりなる。例えば、データ送信サイクルは、略２９秒である。
【００５８】
そして、上記各グループは、図８中（Ｂ）に示すように、同時信号２０１、アドレス／メッセージ識別信号２０２、選択呼出信号２０３，２０４、位相情報信号２０５から構成されている。例えば、ここでいうアドレス／メッセージ識別信号２０２は、選択呼出信号内の並び方を符号単位で示している。
【００５９】
そして、上記選択呼出信号は、図８中（Ｃ）に示すように、アドレス信号２１１、付加情報格納部２１２、メッセージ信号２１３から構成されている。ここで、メッセージ信号２１３は、上記分割されたデータとなり、また、付加情報格納部２１２には、上述した順序情報及び情報識別番号が格納される。
【００６０】
なお、本発明は、この図８に示すように構成される信号形態において適用されることに限定されるものではないことはいうまでもない。例えば、上述したグループと同様な複数構成からなるデータ格納領域をもつデータ送信方式において、上述したように異なる情報識別番号を付加した分割データを複数の当該データ格納領域に格納して送信することもできる。さらには、次世代の信号形態に対応させることともできる。
【００６１】
無線呼出データ受信装置３は、このように構成されてなる信号に対して、上記フレーム内のいずれか一つのグループに属し、自己の属するグループの同期信号を受信することにより同期をとり、そのグループ内の自己の選択呼出信号を受信する。そして、グループ内の自己の選択呼出信号を受信した無線呼出データ受信装置３は、上記付加情報格納部２１２に格納されている順序情報及び情報識別番号に基づいて、上述したように、送信データを復元する。
【００６２】
また、無線呼出データ受信装置３は、ポケットベル受信機に適用されることに限定されない。すなわち、無線呼出データ受信装置３は、例えば、携帯性を維持してなお情報の通信、整理、記憶等が可能とされる可携帯型情報通信端末、いわゆるＰＤＡ（Personal Digital Assistant）に適用することもできる。
【００６３】
本発明に係る情報送受信システムは、送信手段において、送信データ分割手段により、送信データを送信データ分割単位に分割して分割データを得て、識別情報付加手段により、送信データを識別するための複数の識別情報を各分割データにそれぞれ付加するとともに、順序情報付加手段により、分割された順序に各分割データに対して順序情報を付加することができ、そして、送信処理手段により、異なる識別情報が付加されている分割データを１つのデータ送信サイクル内に割り振りして送信処理することができる。また、受信手段において、送信手段から送信されてくる送信データを分割データに付加されている識別情報及び順序情報に基づいて復元することができる。
【００６４】
すなわち、情報送受信システムは、送信データを分割してなる分割データを、識別情報の種類分の数を１つのデータ送信サイクルにおいて送受信処理することができる。
【００６５】
これにより、データを高速に送信することが可能になる。また、分割されたデータには、データの順序情報を付加しているので、受信手段は、順不同で上記分割されたデータが受信された場合であっても、送信データを元に復元することができる。
【００６６】
また、本発明に係る情報送受信方法は、送信手段が、送信データを送信データ分割単位によって分割して得た分割データに当該分割された順序に順序情報を付加するとともに、送信データを識別するための複数の識別情報を各分割データにそれぞれ付加して、異なる識別情報が付加されている分割データを１つのデータ送信サイクル内に割り振りして送信し、受信手段が、送信手段から送信されてくる送信データを分割データに付加されている識別情報及び順序情報に基づいて復元することにより、送信データを分割してなる分割データを、識別情報の種類分の数を１つのデータ送信サイクルにおいて送受信処理することができる。
【００６７】
これにより、データを高速に送信することが可能になる。また、分割されたデータには、データの順序情報を付加しているので、受信手段は、順不同で上記分割されたデータが受信された場合であっても、送信データを元に復元することができる。
【００６８】
また、本発明に係る情報受信装置は、送信データを送信データ分割単位によって分割して得た分割データに当該分割された順序に順序情報が付加されているとともに、送信データを識別するための複数の識別情報が上記各分割データにそれぞれ付加されて、異なる上記識別情報が付加されている上記分割データを１つのデータ送信サイクル内に割り振りされて送信されてくる上記送信データを受信するものであって、送信手段から送信されてくる送信データを分割データに付加されている識別情報及び順序情報に基づいて復元することにより、送信データを分割してなる分割データを、１つのデータ送信サイクルにおいて識別情報の種類分の数だけ受信することができる。
【００６９】
これにより、データを高速に送信することが可能になる。また、分割されたデータには、データの順序情報を付加しているので、情報受信装置は、順不同で上記分割されたデータが受信された場合であっても、送信データを元に復元することができる。
【００７０】
本発明によれば、送信される分割データに対して、情報識別番号と順序情報とを付与することにより、元のデータの同一と当該元のデータ内での分割データの順番とを確認出来るようにしている。これにより、分割データから元のデータが容易に再生できる。
【００７１】
また、特定のデータを分割した場合でも、これらの分割データに異なる種類の情報識別番号を付与することにより、同じ送信サイクルで送信することが出来るようになり、高速送信が達成できる。
【図面の簡単な説明】
【図１】  図１は、本発明の実施の形態である無線呼出データ送受信システムの構成を示すブロック図である。
【図２】  図２は、上記無線呼出データ送受信システムの備える無線呼出データ送信装置が生成する送信データのパケットを示す図である。
【図３】  図３は、上記無線呼出データ送信装置が送信データに順序情報及び情報識別番号を付加して、送信するまでの手順を示す図である。
【図４】  図４は、上記無線呼出データ送受信システムの備える無線呼出データ受信装置が上記無線呼出データ送信装置から送信されてきた送信データを復元するまでの手順を示す図である。
【図５】  図５は、上記無線呼出データ受信装置が受信したデータについて行う受信処理の一連の工程を示すフローチャートである。
【図６】  図６は、上記情報識別番号が唯一つの場合において、データを送信するまでの手順を示す図である。
【図７】  図７は、上記無線呼出データ送信装置が送信データに順序情報及び情報識別番号を付加して、送信するまでの手順の変形例を示す図である。
【図８】  図８は、ポケットベル受信機により構築される無線呼出データ送受信システムにおいて送信される信号の構成を示す図である。
【図１】
0003733584.tif 000002
【図２】
0003733584.tif 000003
【図３】
0003733584.tif 000004
【図４】
0003733584.tif 000005
【図５】
0003733584.tif 000006
【図６】
0003733584.tif 000007
【図７】
0003733584.tif 000008
【図８】
0003733584.tif 000009